(57)【要約】      （修正有）【課題】第２型式スタンドに第１型式ホルダーを取り付けることのできるＬ型フックの型式変換用ジョイントを提供する。【解決手段】ジョイント１０のＬ型フック１２を第１型式ホルダーの係合穴７１に係合し、ジョイント１０の二つの係合穴１３に第２型式スタンド６０の２個のＬ型フック６２を係合することにより、第２型式スタンド６０に第１型式ホルダーを連結する。ジョイントの２個のＬ型フックを第２型式ホルダーの二つの係合穴に係合し、ジョイントの一つの係合穴に第１型式スタンドの１個のＬ型フックを係合することにより、第１型式スタンドに第２型式ホルダーを連結する。【選択図】図４
0003176835.tif 000002
【実用新案登録請求の範囲】
【請求項１】
２個のＬ型フックを並列に設けた第２型式スタンドに、Ｌ型フックが係合する係合穴を一つ形成した第１型式ホルダーを連結するためのL型フックの型式変換用ジョイントであって、
箱型の本体を有し、本体の前面に第１型式ホルダーの係合穴に着脱可能に係合する１個のＬ型フックを設け、本体の後面に第２型式スタンドの２個のＬ型フックが着脱可能に係合する二つの係合穴を形成したことを特徴とするL型フックの型式変換用ジョイント。
【請求項２】
１個のＬ型フックを設けた第１型式スタンドに、Ｌ型フックが係合する係合穴を二つ並列に形成した第２型式ホルダーを連結するためのL型フックの型式変換用ジョイントであって、
箱型の本体を有し、本体の前面に第２型式ホルダーの二つの係合穴に着脱可能に係合する２個のＬ型フックを設け、本体の後面に第１型式スタンドのＬ型フックが着脱可能に係合する一つの係合穴を形成したことを特徴とするL型フックの型式変換用ジョイント。
【考案の詳細な説明】
【技術分野】
【０００１】
本考案はＬ型フックを有し、車内のダッシュボードや室内の壁等に固定されるスタンドと、Ｌ型フックが着脱可能に係合する係合穴が形成され、テレビ、カーナビゲーション装置のモニター、多機能情報端末、多機能携帯電話、コーヒーカップ、ペットボトル等が装着されるホルダーとの間に介在させて型式の異なるスタンドとホルダーを連結するL型フックの型式変換用ジョイントに関する。
【背景技術】
【０００２】
この種のスタンドには、単一のＬ型フックを備えた第１型式のスタンドと、二つのＬ型フックを並べて設けた第２型式のスタンドが実用に供されている。図１０に第１型式のスタンド５０の一例を示す。第１型式のスタンド５０は、ジョイント片５１とベースプレート５４を備え、ジョイント片５１の表側の中央付近に１つのＬ型フック５２と、このＬ型フック５２の下部には下端部に抜け止め用凸部５３を有する抜け止め片５５が設けられている。Ｌ型フック５２は断面Ｌ字形の主部５２ａと、主部５２ａとジョイント片５１を連結する連結片５２ｂから成り、ジョイント片５１、主部５２ａ及び連結片５２ｂは一体成形されている。ジョイント片５１の裏側にはボールジョイント５５が一体に設けられている。ベースプレート５４の表側にはボールジョイント５５が嵌合するソケット５６が一体に設けられている。ソケット５６の外周部には軸心方向に延びる２本のスリット（図示略）が軸心に対して対称位置に形成されるとともに、ネジ溝（図示略）がソケット５６の円周方向に沿って形成され、該ネジ溝にナット部材５７がねじ付けられている。ベースプレート５４の裏側には両面接着テープ（図示略）が貼着されている。
【０００３】
図１１には第１型式のスタンド５０と対を成す第１型式のモバイルホルダー７０が示されている。当該モバイルホルダー７０は長方形の底面７０ａを備え、底面７０ａの表側に多機能携帯電話を着脱可能に装着できる。この底面７０ａの裏側に台座７２が一体成形されている。台座７２は中空構造を有し、台座７２の中央部に、第１型式のスタンド５０のＬ型フック５２が係合する一つの係合穴７１が形成されている。この係合穴７１は幅の広い第１係合穴７１ａと幅の狭い第２係合穴７２ｂから成り、第１係合穴７１ａと第２係合穴７１ｂは連通している。また、第１係合穴７１ａと第２係合穴７１ｂは台座７２の内外を貫通するように形成されている。
【０００４】
図１２及び図１３に第１型式スタンド５０に第１型式モバイルホルダー７０を組み付けた状態を示す。第１型式スタンド５０のＬ型フック５２の主部５２ａを幅の広い係合穴７１ａに挿通し、上方へスライドさせると、連結片５２ｂが幅の狭い係合穴７１ｂに係合し、主部５２ａが幅の狭い係合穴７１ｂの両側の台座面に係合し、凸部５３が幅の広い係合穴７１ａの下端部に当接する。これにより、第１型式スタンド５０に第１型式モバイルホルダー７０が連結される。第１型式スタンド５０に連結した第１型式モバイルホルダー７０は下方へスライドさせると、Ｌ型フック５２の連結片５２ｂが幅の狭い係合穴７１ｂから離脱し、主部５２ａを幅の広い係合穴７１ａを通して台座７２から取り外すことができるので、第１型式モバイルホルダー７０を第１型式スタンド５０から外すことができる。第１型式スタンド５０のベースプレート５４は車内の適宜箇所に両面テープで接着して固定する。ナット部材５７（図１２及び図１３では図示略）を反時計方向に回すとソケット５６がスリットから径方向に拡開するので、ボールジョイント５５がソケット５６の内部で回動可能になり、ジョイント片５１の向きを調整できる。ナット部材５７を時計方向に回せばソケットが径方向に収縮してボールジョイント５５に圧接するので、ジョイント片５１の向きを固定できる。
【０００５】
図１４に第２型式のスタンド６０を示す。当該スタンド６０はジョイント片６１とベースプレート６４を備え、ジョイント片６１には二つのＬ型フック６２が所定の間隔で並列に設けられ、ジョイント片６１の中央下部に抜け止め用突起６３を下端部に有する抜け止め片６５が設けられている。各Ｌ型フック６２は断面Ｌ字形の主部６２ａと、主部６２ａとジョイント片６１を連結する連結片６２ｂから成り、ジョイント片６１、主部６２ａ及び連結片は６２ｂ一体成形されている。ジョイント片６１の裏側にはボールジョイント６５が一体に設けられている。ベースプレート６４の表側にはボールジョイント６６が嵌合するソケット６７が一体に設けられている。ソケット６７の外周部には軸心方向に延びる２本のスリット（図示略）が軸心に対して対称位置に形成されるとともに、ネジ溝（図示略）がソケット６７の円周方向に沿って形成され、該ネジ溝にナット部材６８がねじ付けられている。ベースプレート６４の裏側には両面接着テープ（図示略）が貼着されている。
【０００６】
図１５には第２型式スタンド６０と対を成す第２型式モバイルホルダー８０が示されている。このモバイルホルダー８０の底面８０ａに設けられた台座８３には二つの係合穴８１が並列に形成されている。そして、台座８３の中央下部に、抜け止め用突起６３が係合するロック穴８２が形成されている。この係合穴８１は幅の広い第１係合穴８１ａと幅の狭い第２係合穴８１ｂから成り、第１係合穴８１ａと第２係合穴８１ｂは連通している。また、第１係合穴８１ａと第２係合穴８１ｂは台座８３の内外を貫通するように形成されている。
ちなみに、第１型式スタンド５０のＬ型フック５２と第２型式スタンド６０の各Ｌ型フック６２は同一の形状、構造を備えている。また、第１型式モバイルホルダー７０の係合穴７１と第２型式モバイルホルダー８０の各係合穴８１は同一の形状、構造を備えている。
【０００７】
図１６に、第２型式スタンド６０に第２型式モバイルホルダー８０を組み付けた状態を示す。第２型式スタンド６０の各Ｌ型フック６２の主部６２ａを幅の広い係合穴８１ａに挿通し、上方へスライドさせると、連結片６２ｂが幅の狭い係合穴８１ｂに係合し、主部６２ａが幅の狭い係合穴８１ｂの両側の台座面に係合し、抜け止め用突起６３がロック穴８２の下端部に当接する。これにより、第２型式スタンド６０に第２型式モバイルホルダー８０が連結される。抜け止め片６５を指で押して撓めると、抜け止め突起６３がロック穴８２から外れるので、第２型式モバイルホルダー８０を下方へスライドさせると、Ｌ型フック６２の連結片６２ｂが幅の狭い係合穴８１ｂから離脱し、主部６２ａを幅の広い係合穴８１ａを通して台座８３から取り外すことができ、第２型式モバイルホルダー８０を第２型式スタンド６０から外すことができる。
【先行技術文献】
【特許文献】
【０００８】
【特許文献１】引用なし
【考案の概要】
【考案が解決しようとする課題】
【０００９】
多機能携帯電話は軽量なため、これを車内に設置する場合、通常、Ｌ型フック５２が１個だけ設けられた第１型式のスタンド５０及びこれと対を成す第１型式モバイルホルダー７０が使用される。これに対し、テレビ、多機能情報端末、カーナビゲーションシステムのモニターのように比較的重量があるものはＬ型フック６２が２個設けられた第２型式スタンド６０及びこれと対を成す第２型式モバイルホルダー８０が使用される。
【００１０】
ところで、多機能携帯電話を装着した第１型式モバイルホルダー７０は係合穴７１が台座７２の中心部に一個だけ設けられている。一方、第２型式スタンド６０にはＬ型フック６２が並列に設けられている。そのため、第２型式スタンド６０の一方のＬ型フック６２を第１型式モバイルホルダー７０の係合穴７１に係合しようとしても、他方のＬ型フック６２がモバイルホルダー７０の台座面に当接するので、第２型式スタンド６０に第１型式モバイルホルダー７０を連結することはできない。
【００１１】
一方、第１型式スタンド５０に第２型式モバイルホルダー８０を取り付けることは可能である。しかしながら、第２型式モバイルホルダー８０の一方の係合穴８１に第１型式スタンド５０のＬ型フック５２が係合されるので、第２モバイルホルダー８０が偏って第１型式スタンド５０に取り付けられることになり、取付けが不安定であるだけでなく、見栄えも悪くなる。
【００１２】
本考案は上記問題点に鑑みてなされたものであって、第２型式スタンド６０に第１型式ホルダー７０を取り付けることのできるL型フックの型式変換用ジョイントを提供することを目的とする。
また、本考案は第１型式スタンド５０に第２型式ホルダー８０を安定して取り付けることができるL型フックの型式変換用ジョイントを提供することを目的とする。
【課題を解決するための手段】
【００１３】
請求項１に記載の考案は、２個のＬ型フックを並列に設けた第２型式スタンドに、Ｌ型フックが係合する係合穴を一つ形成した第１型式ホルダーを連結するためのL型フックの型式変換用ジョイントであって、
箱型の本体を有し、本体の前面に第１型式ホルダーの係合穴に着脱可能に係合する１個のＬ型フックを設け、本体の後面に第２型式スタンドの２個のＬ型フックが着脱可能に係合する二つの係合穴を形成したことを特徴とする。
【００１４】
請求項２に記載の考案は、１個のＬ型フックを設けた第１型式スタンドに、Ｌ型フックが係合する係合穴を二つ並列に形成した第２型式ホルダーを連結するためのL型フックの型式変換用ジョイントであって、
箱型の本体を有し、本体の前面に第２型式ホルダーの二つの係合穴に着脱可能に係合する２個のＬ型フックを設け、本体の後面に第１型式スタンドのＬ型フックが着脱可能に係合する一つの係合穴を形成したことを特徴とする。
【考案の効果】
【００１５】
請求項１に記載の考案によれば、ジョイントのＬ型フックを第１型式ホルダーの係合穴に係合し、ジョイントの二つの係合穴に第２型式スタンドの２個のＬ型フックを係合することにより、第２型式スタンドに第１型式ホルダーを連結できる。
【００１６】
請求項２に記載の考案によれば、ジョイントの２個のＬ型フックを第２型式ホルダーの二つの係合穴に係合し、ジョイントの一つの係合穴に第１型式スタンドの１個のＬ型フックを係合することにより、第１型式スタンドに第２型式ホルダーを連結できる。
【図面の簡単な説明】
【００１７】
【図１】本考案の第１実施例に係るL型フックの型式変換用ジョイントの前面から見た斜視図である。
【図２】本考案の第１実施例に係るL型フックの型式変換用ジョイントの後面から見た斜視図である。
【図３】図２の３−３線から切断した断面図である。
【図４】本考案の第１実施例に係るL型フックの型式変換用ジョイントと第２型式スタンド及び第１型式モバイルホルダーを連結した状態を示す縦断断面図である。
【図５】本考案の第１実施例に係るL型フックの型式変換用ジョイントと第２型式スタンド及び第１型式モバイルホルダーを連結した状態を示す横断断面図である。
【図６】本考案の第２実施例に係るL型フックの型式変換用ジョイントの前面から見た斜視図である。
【図７】本考案の第２実施例に係るL型フックの型式変換用ジョイントの後面から見た斜視図である。
【図８】本考案の第２実施例に係るL型フックの型式変換用ジョイントと第１型式スタンド及び第２型式モバイルホルダーを連結した状態を示す縦断断面図である。
【図９】本考案の第２実施例に係るL型フックの型式変換用ジョイントと第１型式スタンド及び第２型式モバイルホルダーを連結した状態を示す横断断面図である。
【図１０】第１型式スタンドを示す斜視図である。
【図１１】第１型式モバイルホルダーを示す斜視図である。
【図１２】第１型式スタンドと第１型式モバイルホルダーを連結した状態を示す縦断断面図である。
【図１３】第１型式スタンドと第１型式モバイルホルダーを連結した状態を示す横断断面図である。
【図１４】第２型式スタンドを示す斜視図である。
【図１５】第２型式モバイルホルダーを示す斜視図である。
【図１６】第２型式スタンドと第２型式モバイルホルダーを連結した状態を示す縦断断面図である。
【図１７】第２型式スタンドと第２型式モバイルホルダーを連結した状態を示す横断断面図である。
【実施例１】
【００１８】
以下に本考案を図面に基づき説明する。図１、図２及び図３に本考案の第１実施例に係る第１L型フックの型式変換用ジョイント１０が示されている。当該ジョイント１０は図１４に示す、２個のＬ型フック６２を並列に設けた第２型式スタンド６０に、図１１に示す、Ｌ型フック５２が係合する係合穴７１を一つ形成した第１型式モバイルホルダー７０を連結するためのもので、平面形状が四角形の箱型の本体１１を有する。
【００１９】
箱型本体１１の前面１１ａには第１型式モバイルホルダー７０の一つの係合穴７１に着脱可能に係合する１個のＬ型フック１２が設けられている。Ｌ型フック１２は断面Ｌ字形の主部１２ａと、主部１２ａと本体前面１１ａを連結する連結片１２ｂから成り、本体前面１１ａ、主部１２ａ及び連結片１２ｂは一体成形されている。
一方、本体後面１１ｂには、第２型式スタンド６０に並列に設けられた２個のＬ型フック６２が着脱可能に係合する二つの係合穴１３が並列に形成されている。各係合穴１３は本体後面１１ｂから本体１１の中空内部に貫通している。また、各係合穴１３は幅の広い第１係合穴１３ａと幅の狭い第２係合穴１３ｂから成り、第１係合穴１３ａと第２係合穴１３ｂは連通している。
【００２０】
第１L型フックの型式変換用ジョイント１０の構造は以上の通りであって図４及び図５に示すように、ジョイント１０のＬ型フック１２を第１型式ホルダー７０の係合穴７１に係合し、ジョイント１０の二つの係合穴１３に第２型式スタンド６０の２個のＬ型フック６２を係合することにより、第２型式スタンド６０に第１型式ホルダー７０を連結できる。
【実施例２】
【００２１】
本考案の第２実施例に係る第２L型フックの型式変換用ジョイント２０を図６及び図７に示す。当該ジョイント２０は図１０に示すように、１個のＬ型フック５２を設けた第１型式スタンド５０に、図１５に示すように、Ｌ型フック６２が係合する係合穴８１を二つ並列に形成した第２型式ホルダー８０を連結するためのものであって、平面形状が四角形の箱型本体２１を有する。
【００２２】
箱型本体２１の前面２１ａに第２型式ホルダー８０の二つの係合穴８１に着脱可能に係合する２個のＬ型フック２２が設けられている。Ｌ型フック２２は断面Ｌ字形の主部２２ａと、主部２２ａと本体前面２１ａを連結する連結片２２ｂから成り、本体前面２１ａ、主部２２ａ及び連結片は２２ｂは一体成形されている。
一方、本体２１の後面２１ｂの中央部には第１型式スタンド５０のＬ型フック５２が着脱可能に係合する係合穴２３が形成されている。係合穴２３は本体後面２１ｂから本体２１の中空内部に貫通している。また、係合穴２３は幅の広い第１係合穴２３ａと幅の狭い第２係合穴２３ｂから成り、第１係合穴２３ａと第２係合穴２３ｂは連通している。
【００２３】
第２L型フックの型式変換用ジョイント２０の構造は以上の通りであって、図８及び図９に示すように、ジョイント２０の２個のＬ型フック２２を第２型式ホルダー８０の二つの係合穴８１に係合し、ジョイント２０の一つの係合穴２３に第１型式スタンド５０の１個のＬ型フック５２を係合することにより、第１型式スタンド５０に第２型式ホルダー８０を連結できる。
【符号の説明】
【００２４】
１０…第１L型フックの型式変換用ジョイント
１１…箱型本体
１１ａ…前面
１１ｂ…後面
１２…Ｌ型フック
１３…係合穴
２０…第２L型フックの型式変換用ジョイント
２１…箱型本体
２１ａ…前面
２１ｂ…後面
２２…Ｌ型フック
２３…係合穴
５０…第１型式スタンド
５２…Ｌ型フック
６０…第２型式スタンド
６２…Ｌ型フック
７０…第１型式モバイルホルダー
７１…係合穴
８０…第２型式モバイルホルダー
８１…係合穴
【図１】
0003176835.tif 000003
【図２】
0003176835.tif 000004
【図３】
0003176835.tif 000005
【図４】
0003176835.tif 000006
【図５】
0003176835.tif 000007
【図６】
0003176835.tif 000008
【図７】
0003176835.tif 000009
【図８】
0003176835.tif 000010
【図９】
0003176835.tif 000011
【図１０】
0003176835.tif 000012
【図１１】
0003176835.tif 000013
【図１２】
0003176835.tif 000014
【図１３】
0003176835.tif 000015
【図１４】
0003176835.tif 000016
【図１５】
0003176835.tif 000017
【図１６】
0003176835.tif 000018
【図１７】
0003176835.tif 000019